(57)【要約】  中継用端子台（１）は、固定部（２０）にねじで固定される中継用端子台（１）であって、固定部（２０）と対向する第１面（４ａ）と、第１面（４ａ）の裏面側となる第２面（４ｂ）とを有する本体（４）を備え、本体（４）には、第２面（４ｂ）から第１面（４ａ）に向けて凹む凹部（５）と、凹部（５）の底面（５ａ）から第１面（４ａ）に貫通する貫通穴（６）と、凹部（５）の縁に設けられて第２面（４ｂ）から離れる方向に突出する突起（７）とが形成され、貫通穴（６）は、ねじの軸部の外径よりも大きく、ねじの頭部の外径よりも小さな内径で形成され、凹部（５）は、ねじの頭部の外径よりも大きな内径で形成される。
2016110975.tif 000002
【特許請求の範囲】
【請求項１】
固定部にねじで固定される中継用端子台であって、
前記固定部と対向する第１面と、前記第１面の裏面側となる第２面とを有する本体を備え、
前記本体には、前記第２面から前記第１面に向けて凹む凹部と、前記凹部の底面から前記第１面に貫通する貫通穴と、前記凹部の縁に設けられて前記第２面から離れる方向に突出する突起とが形成され、
前記貫通穴は、前記ねじの軸部の外径よりも大きく、前記ねじの頭部の外径よりも小さな内径で形成され、
前記凹部は、前記ねじの頭部の外径よりも大きな内径で形成されることを特徴とする中継用端子台。
【請求項２】
前記突起は、前記凹部の縁の一部に形成されることを特徴とする請求項１に記載の中継用端子台。
【発明の詳細な説明】
【技術分野】
【０００１】
本発明は、空気調和機に対してねじで固定される中継用端子台に関する。
【背景技術】
【０００２】
空気調和機は、室内に設置される室内機と室外に設置される室外機とを備える。室内機および室外機のそれぞれには、電力を供給するための電源線または渡り線が接続される中継用端子台が取り付けられる。特許文献１に開示されているような、電源線または渡り線を接続可能な端子台が中継用端子台として用いられる。【０００３】
中継用端子台は、室内機および室外機に設けられた固定部にねじで固定されている。中継用端子台の本体には、ねじの頭部が入り込む凹部と、凹部の底面から形成されてねじの軸部を貫通させる貫通穴が形成される。貫通穴にねじの軸部を貫通させて固定部にねじを締結することで、凹部の底面にねじの頭部が当接して、中継用端子台が固定部に固定される。すなわち、凹部の底面にねじの頭部が当接するまでねじを締め付けることで、ねじの先端が固定部に十分な長さでねじ込まれて、中継用端子台が確実に固定されることとなる。
【先行技術文献】
【特許文献】
【０００４】
【特許文献１】特開平０８−２２２２９７号公報
【発明の概要】
【発明が解決しようとする課題】
【０００５】
室内機および室外機への電力の供給方式には、室内機および室外機のそれぞれに電源から延びる電源線を接続して電力を供給する別受電方式と、室外機のみに電源線を接続し、室外機と室内機とを連結する渡り線を通して室内機に電力を供給する外受電方式とがある。別受電方式と外受電方式とでは、異なる中継用端子台が用いられることが一般的である。【０００６】
空気調和機を設置する際に、中継用端子台を交換して所望の電力の供給方式に変更する場合がある。中継用端子台の交換作業では、すでに取り付けられている中継用端子台を固定しているねじを外し、新たに取り付ける中継用端子台をねじで固定する作業が行われる。ここで、すでに取り付けられている中継用端子台を固定しているねじの頭部の外径が、新たに取り付ける中継用端子台に付属されているねじの頭部の外径よりも大きい場合がある。この場合には、すでに取り付けられている中継用端子台を固定しているねじの頭部の外径が、新たに取り付ける中継用端子台の凹部の内径よりも大きくなり、ねじの頭部が凹部に入り込まない場合がある。【０００７】
そして、中継用端子台の交換作業において、すでに取り付けられている中継用端子台から外したねじを流用して新たに取り付ける中継用端子台を固定しようとすると、頭部が凹部に入り込まず、固定部に対してねじの先端が十分な長さでねじ込まれない。そのため、中継用端子台の固定が不十分となる場合がある。しかしながら、ねじを流用した場合であっても、ねじの頭部の外周の全域が凹部の入り口の縁に当接し、ねじの軸部の先端が固定部にある程度ねじ込まれるため、中継用端子台が正常に固定されたと作業者が誤って理解してしまうおそれがある。【０００８】
本発明は、上記に鑑みてなされたものであって、誤ったねじで固定したことを認識しやすい中継用端子台を得ることを目的とする。
【課題を解決するための手段】
【０００９】
上述した課題を解決し、目的を達成するために、本発明に係る中継用端子台は、固定部にねじで固定される中継用端子台であって、固定部と対向する第１面と、第１面の裏面側となる第２面とを有する本体を備え、本体には、第２面から第１面に向けて凹む凹部と、凹部の底面から第１面に貫通する貫通穴と、凹部の縁に設けられて第２面から離れる方向に突出する突起とが形成され、貫通穴は、ねじの軸部の外径よりも大きく、ねじの頭部の外径よりも小さな内径で形成され、凹部は、ねじの頭部の外径よりも大きな内径で形成されることを特徴とする。
【発明の効果】
【００１０】
本発明に係る中継用端子台は、誤ったねじで固定したことを認識しやすいという効果を奏する。
【図面の簡単な説明】
【００１１】
【図１】本発明の実施の形態１に係る中継用端子台が固定される空気調和機であって、外受電方式の構成を示す図
【図２】実施の形態１に係る中継用端子台が固定される空気調和機であって、別受電方式の構成を示す図
【図３】実施の形態１に係る中継用端子台の斜視図
【図４】実施の形態１に係る中継用端子台の平面図
【図５】実施の形態１に係る中継用端子台の正面図
【図６】実施の形態１に係る中継用端子台の断面図であって、図４に示すＡ−Ａ線に沿った矢視断面図
【図７】実施の形態１に係る中継用端子台を固定するねじを示す図
【発明を実施するための形態】
【００１２】
以下に、本発明の実施の形態に係る中継用端子台を図面に基づいて詳細に説明する。なお、この実施の形態によりこの発明が限定されるものではない。
【００１３】
実施の形態１．
まず、室内機と室外機とを備える空気調和設備の電源供給方式である外受電方式と別受電方式について説明する。図１は、本発明の実施の形態１に係る中継用端子台が固定される空気調和機であって、外受電方式の構成を示す図である。空気調和機１０は、室外に設置される室外機１２と、室内に設置される室内機１３とを備える。
【００１４】
外受電方式で電力が供給される空気調和機１０では、室外機１２に対して電源１１から延びる電源線１４が接続される。また、室外機１２と室内機１３との間は、渡り線１５によって接続される。外受電方式では、電源線１４を通じて室外機１２に供給された電力が、渡り線１５を介して室内機１３にも供給される。また、室内機１２と室外機１３との間では、通信線１６を介した情報の送受信が行われる。
【００１５】
図２は、実施の形態１に係る中継用端子台が固定される空気調和機であって、別受電方式の構成を示す図である。空気調和機３０は、室外に設置される室外機３３と、室内に設置される室内機３４とを備える。
【００１６】
別受電方式で電源が供給される空気調和機３０では、室外機３３に対して電源３１から延びる電源線３５が接続される。また、室内機３４に対して電源３２から延びる電源線３７が接続される。別受電方式では、室外機３３と室内機３４のそれぞれに電源３１，３２から電力が供給される。なお、室外機３３と室内機３４との間での電力の供給は行われず、通信線３６を介した情報の送受信が行われる。
【００１７】
外受電方式の空気調和機１０および別受電方式の空気調和機３０が備える室外機１２，３３および室内機１３，３４には、電源線１４，３５，３７または渡り線１５が接続される中継用端子台が設けられる。
【００１８】
図３は、実施の形態１に係る中継用端子台の斜視図である。図４は、実施の形態１に係る中継用端子台の平面図である。図５は、実施の形態１に係る中継用端子台の正面図である。図６は、実施の形態１に係る中継用端子台の断面図であって、図４に示すＡ−Ａ線に沿った矢視断面図である。
【００１９】
中継用端子台１は、複数の端子接続部３が形成された本体４を備えて構成される。中継用端子台１は、本体４が室外機１２、室外機３３、室内機１３、室内機３４に設けられた固定対象である固定部２０にねじで固定される。
【００２０】
本体４は、直方体形状を呈する。本体４は、固定部２０と対向する第１面４ａと、第１面４ａの裏面側となる第２面４ｂを有する。本体４には、第１面４ａから第２面４ｂに向けて凹む凹部５が形成される。凹部５の底面５ａには、第１面４ａに貫通する貫通穴６が形成される。第２面４ｂ上であって、凹部５の縁には、第２面４ｂから離れる方向に突出する突起７が形成される。突起７は、凹部５の縁の全周にわたって形成されるのではなく、縁の一部に形成される。
【００２１】
図７は、実施の形態１に係る中継用端子台１を固定するねじを示す図である。ねじ４０は、外周面にねじ山が形成された軸部４１と、軸部４１の一端側に設けられて軸部４１の径よりも大きな外径で形成された頭部４２とを有する。
【００２２】
中継用端子台１の本体４に形成された貫通穴６の内径Ｄは、ねじ４０の軸部４１の外径Ｂよりも大きく、ねじ４０の頭部４２の外径Ｃよりも小さい。また、凹部５の内径Ｅは、ねじ４０の頭部４２の外径Ｃよりも大きな内径で形成される。
【００２３】
以上説明した空気調和機において、外受電方式を想定した中継用端子台を取り付けて出荷された空気調和機が、別受電方式の中継用端子台に交換されて設置される場合、または別受電方式を想定した中継用端子台を取り付けて出荷された空気調和機が、外受電方式の中継用端子台に交換されて設置される場合がある。ここで、新たに取り付ける中継用端子台１の貫通穴６の内径Ｄが４．２ｍｍであり、貫通穴６の長さＦが１２．７ｍｍであり、凹部５の内径Ｅが７．５ｍｍであり、凹部５の深さＧが４．３ｍｍであると想定する。また、新たに取り付ける中継用端子台１を固定するために付属するねじ４０の軸部４１の外径Ｂが３ｍｍであり、軸部４１の長さＬが２０ｍｍであり、頭部４２の外径Ｃが７ｍｍであると想定する。
【００２４】
この場合、軸部４１を貫通穴６に貫通させて固定部２０にねじ４０をねじ込むことで、頭部４２が凹部５に入り込んで底面５ａに当接して、中継用端子台１が固定される。そのため、固定部２０にねじ込まれた軸部４１の先端の長さは、２０ｍｍ−１２．７ｍｍ＝７．３ｍｍとなる。
【００２５】
一方、出荷時に空気調和機に取り付けられていた図示しない中継用端子台を固定するねじの頭部の外径が９．４ｍｍである場合に、このねじを誤って流用すると、新たに取り付ける中継用端子台１の凹部５にねじの頭部が入り込めない。そして、ねじの頭部は凹部５の縁に当接する前に突起７に当接する。突起７は凹部５の縁の一部に形成されているため、頭部の外周の一部でしか突起７に当接せず、ねじは不安定な状態となる。そのため、作業者は、出荷時に取り付けられていた中継用端子台用のねじを誤って流用したことに気づきやすい。
【００２６】
ここで、中継用端子台１の本体４の第２面４ｂに突起７が形成されていない場合には、流用されたねじの頭部の外周の全域が凹部５の縁に当接することでねじの姿勢が安定するため、作業者がねじの流用に気づかないおそれがある。この場合、ねじの軸部の長さが２０ｍｍであったとしても、凹部５の深さＧと貫通穴６の長さＦとを差し引いて、２０ｍｍ−１２．７ｍｍ−４．３ｍｍ＝３ｍｍとなり、ねじの軸部の先端が３ｍｍしか固定部２０にねじ込まれていないこととなる。
【００２７】
上述したように、中継用端子台１に付属されたねじ４０を使用した場合には、軸部４１の先端が固定部２０に７．３ｍｍねじ込まれる。固定部２０にねじ込まれた軸部の長さを比べた場合、ねじを流用することで中継用端子台１の固定力が弱くなり、中継用端子台１が外れやすくなることが分かる。
【００２８】
本実施の形態１に係る中継用端子台１では、本体４の第２面４ｂに突起７を形成することで、ねじの流用、すなわち誤ったねじで中継用端子台１を固定したことに気づきやすくなっている。そのため、適切なねじ４０を用いた中継用端子台１の固定を促して、中継用端子台１をより確実に固定させることができる。
【００２９】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３０】
１  中継用端子台、３  端子接続部、４  本体、４ａ  第１面、４ｂ  第２面、５  凹部、５ａ  底面、６  貫通穴、７  突起、１０  空気調和機、１１  電源、１２  室外機、１３  室内機、１４  電源線、１５  渡り線、１６  通信線、２０  固定部、３０  空気調和機、３１，３２  電源、３３  室外機、３４  室内機、３５  電源線、３６  通信線、３７  電源線、４０  ねじ、４１  軸部、４２  頭部。
【図１】
2016110975.tif 000003
【図２】
2016110975.tif 000004
【図３】
2016110975.tif 000005
【図４】
2016110975.tif 000006
【図５】
2016110975.tif 000007
【図６】
2016110975.tif 000008
【図７】
2016110975.tif 000009
【手続補正書】
【提出日】平成28年12月28日(2016.12.28)
【手続補正１】
【補正対象書類名】明細書
【補正対象項目名】００２０
【補正方法】変更
【補正の内容】
【００２０】
本体４は、直方体形状を呈する。本体４は、固定部２０と対向する第１面４ａと、第１面４ａの裏面側となる第２面４ｂを有する。本体４には、第２面４ｂから第１面４ａに向けて凹む凹部５が形成される。凹部５の底面５ａには、第１面４ａに貫通する貫通穴６が形成される。第２面４ｂ上であって、凹部５の縁には、第２面４ｂから離れる方向に突出する突起７が形成される。突起７は、凹部５の縁の全周にわたって形成されるのではなく、縁の一部に形成される。
【国際調査報告】
2016110975.tif 000010
2016110975.tif 000011
2016110975.tif 000012
2016110975.tif 000013